(57)【要約】【課題】衝撃をより効果的に吸収する。【解決手段】ヘルメット１は、帽体２と帽体２の内側に当該帽体２の内側面２ａに沿い隣接し配置された衝撃吸収部１０とを有し、衝撃吸収部１０の帽体に向く面１１ｂ，１２ｂは、凹凸になり帽体２の内側面２ａに部分的に接触している。【選択図】図２
2020190055.tif 000002
【特許請求の範囲】
【請求項１】
帽体と前記帽体の内側に当該帽体の内側面に沿い隣接し配置された衝撃吸収部とを有するヘルメットであって、
前記衝撃吸収部の帽体に向く面は、凹凸形状をなし前記帽体の内側面に部分的に接触しているヘルメット。
【請求項２】
前記衝撃吸収部の帽体に向く面は、他の部位よりも前記帽体側に出た部位が点接触及び線接触の少なくとも何れかで前記帽体の内側面に部分的に接触している請求項１に記載のヘルメット。
【請求項３】
前記衝撃吸収部は、棒状の部材が前記帽体の内側面に沿って配列され、前記帽体に向く面が凹凸形状をなす請求項１又は２に記載のヘルメット。
【請求項４】
前記衝撃吸収部は、複数の棒状の部材が前記帽体の内側面に沿って互いに隣接されて並べられ、前記帽体に向く面が凹凸形状をなす請求項１乃至３の何れか１項に記載のヘルメット。
【請求項５】
前記衝撃吸収部は、１本の棒状の部材が前記帽体の内側面に沿って渦巻状に巻回され、前記帽体に向く面が凹凸形状をなす請求項１乃至４の何れか１項に記載のヘルメット。
【請求項６】
前記棒状の部材は、中空の管形状の部材である請求項３乃至５の何れか１項に記載のヘルメット。
【請求項７】
前記棒状の部材は、樹脂材料によって形成されている請求項３乃至６の何れか１項に記載のヘルメット。
【発明の詳細な説明】
【技術分野】
【０００１】
本発明は、使用者の頭部を保護するヘルメットに関する。
【背景技術】
【０００２】
従来、使用者の頭部を効果的に保護するヘルメットが種々提案されている（特許文献１）。
【先行技術文献】
【特許文献】
【０００３】
【特許文献１】特開２０１７−１２５２９０号
【発明の概要】
【発明が解決しようとする課題】
【０００４】
本発明の目的は、衝撃をより効果的に吸収することである。
【課題を解決するための手段】
【０００５】
前記課題を解決するために、本発明の第１の態様は、帽体と前記帽体の内側に当該帽体の内側面に沿い隣接し配置された衝撃吸収部とを有するヘルメットであって、前記衝撃吸収部の帽体に向く面は、凹凸形状をなし前記帽体の内側面に部分的に接触しているヘルメットである。
【０００６】
本発明の第２の態様では、前記衝撃吸収部の帽体に向く面は、他の部位よりも前記帽体側に出た部位が点接触及び線接触の少なくとも何れかで前記帽体の内側面に部分的に接触していることが好ましい。
【０００７】
本発明の第３の態様では、前記衝撃吸収部は、棒状の部材が前記帽体の内側面に沿って配列され、前記帽体に向く面が凹凸形状をなすことが好ましい。
【０００８】
本発明の第４の態様では、前記衝撃吸収部は、複数の棒状の部材が前記帽体の内側面に沿って互いに隣接されて並べられ、前記帽体に向く面が凹凸形状をなすことが好ましい。
【０００９】
本発明の第５の態様では、前記衝撃吸収部は、１本の棒状の部材が前記帽体の内側面に沿って渦巻状に巻回され、前記帽体に向く面が凹凸形状をなすことが好ましい。
【００１０】
本発明の第６の態様では、前記棒状の部材は、中空の管形状の部材であることが好ましい。
【００１１】
本発明の第７の態様では、前記棒状の部材は、樹脂材料によって形成されていることが好ましい。
【発明の効果】
【００１２】
本発明の前記第１の態様によれば、ヘルメットは、衝撃をより効果的に吸収できる。
【００１３】
本発明の前記第２の態様によれば、ヘルメットは、衝撃をより効果的に吸収できる。
【００１４】
本発明の前記第３の態様によれば、衝撃吸収部は、より簡単に帽体に向く面を凹凸形状に形成できる。
【００１５】
本発明の前記第４の態様によれば、衝撃吸収部は、より簡単に帽体に向く面を凹凸形状に形成できる。
【００１６】
本発明の前記第５の態様によれば、衝撃吸収部は、より簡単に帽体に向く面を凹凸形状に形成できる。
【００１７】
本発明の前記第６の態様によれば、衝撃吸収部は、より簡単に帽体に向く面を凹凸形状に形成しつつ、軽量化が図られる。
【００１８】
本発明の前記第７の態様によれば、衝撃吸収部は、より簡単に帽体に向く面を凹凸形状に形成しつつ、軽量化が図られる。
【図面の簡単な説明】
【００１９】
【図１】図１は、ヘルメットの一例を示す斜視図である。
【図２】図２は、ヘルメットの一例を示す断面図である。
【図３】図３は、ヘルメットの内側から見た一例を示す図である。
【図４】図４は、衝撃吸収部の頂点部の形状の一例を示す側面図である。
【図５】図５は、衝撃吸収部の頂点部の形状の一例を示す底面図である。
【図６】図６は、衝撃吸収部の側面部の形状の一例を示す斜視図である。
【図７】図７は、衝撃吸収部の一部を示す断面図である。
【図８】図８は、全体が一体として形成された衝撃吸収部の一例を示す図である。
【図９】図９は、全体が一体として形成された衝撃吸収部の他の一例を示す図である。
【発明を実施するための形態】
【００２０】
本発明の本実施形態を図面を参照しつつ説明する。
【００２１】
本実施形態では、ヘルメットを挙げている。
【００２２】
（構成）
図１及び図２は、ヘルメット１の一例を示す図である。本例のヘルメット１は、ジェット型ヘルメットである。図１は、ヘルメット１の斜視図であり、図２は、ヘルメット１の断面図である。
【００２３】
図１及び図２に示すように、ヘルメット１は、帽体（外側シェルともいう）２、衝撃吸収部１０、内装部３、及び顎紐４を有している。帽体２は、繊維強化樹脂材等によってジェット型ヘルメットの特有の形状になるように形成されている。帽体２の内側に、衝撃吸収部１０が設けられている。
【００２４】
衝撃吸収部１０は、帽体２の内側面２ａに取り付けられている。衝撃吸収部１０は、帽体２の内側面２ａに沿った形状になっており、略半球形状をなしている。衝撃吸収部１０は、円管形状のチューブ部材が帽体２の内側面２ａに沿って配置されて形成されている。例えば、チューブ部材は、プラスチック等の樹脂材料で形成されている。ここで、衝撃吸収部１０は、頂点付近の頂点部１１、及びそれ以外の部分の側面部１２を有して構成されており、頂点部１１と側面部１２とは、チューブ部材の配列パターンが異なっている。
【００２５】
図３は、ヘルメット１の内側から見た一例を示す図である。図４及び図５は、衝撃吸収部１０の頂点部１１の形状の一例を示す図である。図４は、衝撃吸収部１０の頂点部１１の側面図であり、図５は、衝撃吸収部１０の頂点部１１の底面図（ヘルメット１の内側から見た図）である。図６は、衝撃吸収部１０の側面部１２の形状の一例を示す斜視図である。なお、図３は、説明のため内装部３を図示していない図になる。
【００２６】
図２乃至図５に示すように、頂点部１１では、ヘルメット１の裏側からみて略円形の領域に帽体２の湾曲した内側面２ａに沿って複数の直線形状のチューブ部材１１ａが並べて配置されており、隣合うチューブ部材１１ａ同士が接している。また、図２、図３、及び図６に示すように、側面部１２では、１本のチューブ部材１２ａが頂点部１１を中心に帽体２の内側面２ａに沿って隣合う部分同士が接するように巻かれている。側面部１２は、左右部分ではヘルメット１を被った使用者の耳の上付近まで、前部分では帽体２の縁付近まで形成されている。
【００２７】
図７は、衝撃吸収部１０の一部を示す断面図である。
【００２８】
図７に示すように、衝撃吸収部１０は、以上のようにチューブ部材１１ａ，１２ａが帽体２の内側面２ａに沿って配置されることによって、チューブ部材１１ａ，１２ａにおいて帽体２に向く面１１ｂ，１２ｂが、連続した凹凸になり、凸部を構成する部位１１ｃ，１２ｃが帽体２の内側面２ａに線接触により接触している。
【００２９】
内装部３は、衝撃吸収部１０におけるヘルメット１の内側に向く面を覆っている。内装部３は、衝撃吸収性のある薄いシート状の部材であり、例えば、薄いスポンジシートが布で覆われている部材である。
【００３０】
顎紐４は、帽体２の内側面２ａの左右の下部分それぞれに取り付けられている。
（作用等）
【００３１】
次に、ヘルメット１の作用等の一例について説明する。
【００３２】
衝撃吸収部１０ではチューブ部材１１ａ，１２ａが帽体２の内側面２ａに沿って配置されていることによって、帽体２の外側面から衝撃が加わった場合でも、その衝撃が帽体２で効果的に吸収される。例えば、チューブ部材１１ａ，１２ａが帽体２の内側面２ａに線接触することで、チューブ部材１１ａ，１２ａが位置される帽体２の内側面２ａ全体でチューブ部材１１ａ，１２ａが部分的に接触（線接触）して接触面積が抑えられているため、帽体２にて衝撃が加わった部位が撓み易くなり、その衝撃が帽体２で効果的に吸収される。
【００３３】
さらに、帽体２から衝撃吸収部１０に衝撃に伝達されたとしても、衝撃吸収部１０がチューブ部がチューブ形状であるため、その衝撃を効果的に吸収できる。
【００３４】
（本実施形態における効果）
（１）ヘルメット１は、衝撃吸収部１０の帽体２に向く面１１ｂ，１２ｂが連続した凹凸形状をなし、凸部を構成する部位１１ｃ，１２ｃが帽体２の内側面２ａに線接触することによって、衝撃をより効果的に吸収できる。
【００３５】
（２）衝撃吸収部１０は、帽体２の内側面２ａに沿ってチューブ部材１１ａ，１２ａが互いに隣接されて並べて形成されることで、より簡単に帽体２に向く面１１ｂ，１２ｂを凹凸形状に形成できる。
【００３６】
（３）衝撃吸収部１０は、側面部１２が１本のチューブ部材１２ａが帽体２の内側面２ａに沿いつつ渦巻状に巻回されて形成されていることで、より簡単に帽体２に向く面１２ｂを凹凸形状に形成できる。
【００３７】
（４）衝撃吸収部１０は、中空のチューブ部材１１ａ，１２ａによって構成されているため、軽量化が図られる。
【００３８】
（５）衝撃吸収部１０は、チューブ部材１１ａ，１２ａが樹脂材料によって形成されているため、軽量化が図られる。
【００３９】
（６）衝撃吸収部１０は、複数のチューブ部材１１ａを並べるだけで頂点部１１を形成できるので、簡単に形成される。また、衝撃吸収部１０は、１本のチューブ部材１２ａを巻きつけるだけで側面部１２を形成できるので、簡単に形成される。
【００４０】
（本実施形態の変形例等）
前記の実施形態の他の例として、衝撃吸収部１０は、頂点部１１と側面部１２とが同一の配列パターンにされることもできる。例えば、衝撃吸収部１０は、全体が、前記の頂点部１１の配列と同様に、複数の直線形状のチューブ部材が帽体２の内側面２ａに沿って隣合うチューブ部材同士で接して並べて配置される。又は、衝撃吸収部１０は、全体が、前記の側面部１２の配列と同様に、１本のチューブ部材が頂点を中心に帽体２の内側面２ａに沿って隣合う部分同士が接するように巻かれる。
【００４１】
また、前記の実施形態の他の例として、チューブ部材は、円管形状に限らず、他の形状とされることもできる。例えば、チューブ部材は、断面形状が楕円形状、多角形状とされることもできる。この場合、断面形状は、チューブ部材が帽体２の内側面２ａに沿って配列された際に帽体２の内側面２ａと線接触できる形状が好ましい。
【００４２】
また、前記の実施形態の他の例として、チューブ部材は、ゴム等の弾性材料によって形成されることもできる。
【００４３】
また、前記の実施形態の他の例として、衝撃吸収部１０は、チューブ部材に代えて、中実の棒状部材によって構成されることもできる。例えば、棒状部材は、断面が円形、楕円形、多角形状である。この場合、棒状部材は、棒状部材が帽体２の内側面２ａに沿って配列された際に帽体２の内側面２ａと線接触することができる形状が好ましい。例えば、棒状部材は、プラスチック等の樹脂材料に限らず、ゴム等の弾性材料によって形成されることもできる。
【００４４】
また、前記の実施形態の他の例として、衝撃吸収部１０は、帽体２の内側面２ａに点接触により部分的に接触されることもできる。この場合、例えば、衝撃吸収部１０は、中空又は中実の複数の球体によって構成される。例えば、球体は、プラスチック等の樹脂材料、ゴム等の弾性材料によって形成される。
【００４５】
また、前記の実施形態の他の例として、衝撃吸収部１０は、帽体２の内側面２ａに点接触と線接触との組み合わせで接触されることもできる。
【００４６】
また、前記の実施形態の他の例として、衝撃吸収部１０は、発砲スチロール等によって全体が一体として形成されることもできる。この場合、衝撃吸収部１０は、帽体２に向く面が、連続した凹凸になり、凸の部位が帽体２の内側面２ａに点接触又は線接触により接触する。
【００４７】
図８は、全体が一体として形成された衝撃吸収部２０の一例を示す図である。図８に示すように、衝撃吸収部２０は、帽体２に向く面２１が、連続した凹凸になり、凸部を構成する部位２１ａの断面形状が略三角形になっている。これにより、衝撃吸収部２０は、帽体２の内側面２ａに点接触又は線接触により接触する。線接触の場合、断面が略三角形の凸部を構成する部位２１ａは、図面に対して垂直方向に延びた形状になる。
【００４８】
図９は、全体が一体として形成された衝撃吸収部３０の他の一例を示す図である。図９に示すように、衝撃吸収部３０は、帽体２に向く面３１が、連続した凹凸になり、凸部を構成する部位３１ａの断面形状が略半円形になっている。これにより、衝撃吸収部３０は、帽体２の内側面２ａに点接触又は線接触により接触する。線接触の場合、断面が略半径形の凸部を構成する部位３１ａは、図面に対して垂直方向に延びた形状になる。
【００４９】
また、前記の実施形態の他の例として、ヘルメットは、フルフェイス型ヘルメット等の他の型のヘルメットとされることもできる。
【００５０】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５１】
１  ヘルメット、２  帽体、２ａ  内側面、１０  衝撃吸収部、１１ａ，１２ａ  チューブ部材、２０，３０  衝撃吸収部
【図１】
2020190055.tif 000003
【図２】
2020190055.tif 000004
【図３】
2020190055.tif 000005
【図４】
2020190055.tif 000006
【図５】
2020190055.tif 000007
【図６】
2020190055.tif 000008
【図７】
2020190055.tif 000009
【図８】
2020190055.tif 000010
【図９】
2020190055.tif 000011